(57)【要約】      （修正有）【課題】各ノレン片の上流側への回動を阻止して後続の被検査物に対する衝撃を緩和するＸ線遮蔽ノレンを提供する。【解決手段】被検査物の搬送方向と交差する方向の水平軸に遥動自在に吊り下げられた短冊状の複数枚のノレン片３，５，５Ｂを備え、これらのノレン片の前記搬送方向上流側には、これらのノレン片の揺れ戻しによる上流側への回動を阻止する回り止め６，６Ｂを、水平軸レベルよりも下方に設ける。【選択図】図５
0003193858.tif 000002
【実用新案登録請求の範囲】
【請求項１】
被検査物の搬送方向と交差する方向の水平軸に遥動自在に吊り下げられた短冊状の複数枚のノレン片を備え、前記各ノレン片の前記搬送方向の上流側には、前記各ノレン片の揺れ戻しによる上流側への回動を阻止する回り止めが前記水平軸レベルよりも下方に設けられていることを特徴とするＸ線遮蔽ノレン。
【請求項２】
前記水平軸にリンクを遥動自在に吊り下げ、そのリンクの下端部に前記ノレン片をさらに遥動自在に吊り下げて、前記リンクと前記ノレン片とのヒンジ部分で水平方向に折れ曲がるように構成したことを特徴とする請求項１に記載のＸ線遮蔽ノレン。
【請求項３】
請求項１に記載のＸ線遮蔽ノレンを上流側上段に配置し、請求項２に記載のＸ線遮蔽ノレンをその下流側に配置して、上流と下流に配置された各遮蔽ノレンでＸ線を遮蔽するように構成するとともに、上流側のノレン片の下端部を、下流側のノレン片の揺れ戻しによる上流側への回動を阻止する回り止めとして利用することを特徴とするＸ線遮蔽ノレン。
【考案の詳細な説明】
【技術分野】
【０００１】
本考案は、Ｘ線照射室の出入口に取り付けられて、Ｘ線の外部への漏洩を防止するＸ線遮蔽ノレンと、それを搭載したＸ線検査装置に関する。
【背景技術】
【０００２】
加工食品等の製造ラインには、内容物への異物混入検査や、容器に添付する調味料等の欠品検査を行うために、Ｘ線検査装置が導入されている。そのＸ線検査装置では、運転中は、Ｘ線が常時照射されるため、Ｘ線照射室の出入口には、Ｘ線の外部への漏洩を防止する遮蔽ノレンやトンネル状の防護カバーが取り付けられる。
【０００３】
前者の遮蔽ノレンは、被検査物の自重でノレンを押し退けることのできる比較的重い製品に使用され、後者の防護カバーは、ノレンが当たると姿勢が乱れたり、押し戻されたりする比較的軽い製品に使用される。そして、前者の遮蔽ノレンには、これまで鉛やタングステン等を含有した合成樹脂シートが使われてきたが、最近では、耐久性や食品衛生上の観点から下記特許文献に開示されるようなステンレス製の遮蔽ノレンが使用されるようになってきた。
【先行技術文献】
【特許文献】
【０００４】
【特許文献１】特許第３９３２４７９号公報
【特許文献２】特許第３９４６６１２号公報
【考案の概要】
【考案が解決しようとする課題】
【０００５】
特許文献１に記載の遮蔽ノレンは、水平方向に吊り下げられた複数のノレン片をさらに水平方向に分割することによって、水平方向にも多段階に屈折可能としたものである。これにより、被検査物によって押し退けられる際にできる、垂下したノレン片と開放されたノレン片との間の開口部を可及的に小さくして、そこからのＸ線の漏洩を抑えるものである。しかし、金属性のノレン片が鎖のように上下に連結されているから、各ノレン片を押し退けるときに大きな力を必要とし、それに伴って、重たい製品にしか使用できない難点がある。
【０００６】
これに対し、特許文献２に記載の遮蔽ノレンは、吊り下げられた遥動リンクに短冊状のノレン片を遥動自在に吊り下げて軽量化を図ったものであるから、各ノレン片を押し退けるときの力が小さくて済み、しかも、水平方向に折れ曲がるから、開口部からのＸ線の漏洩も抑えることができるメリットがある。
【０００７】
しかし、何れの遮蔽ノレンも、ノレン片の上流側への揺れ戻しによってそれが後続の被検査物にカウンターパンチのように当たると、被検査物の柔軟な容器等にダメージを与えることがある。さらに、特許文献２の遮蔽ノレンにあっては、ノレン片が上流側に揺れ戻る際に、侵入してきた後続の被検査物に突き刺さるような角度で当たると、被検査物にダメージを与えるだけでなく、その搬送も乱されることがある。
【０００８】
こうした問題に対しては、ノレン片の遥動が収まるタイミングで次の被検査物が進入するように被検査物の搬送間隔を開けれ良いが、そうすると、処理能力が低下する問題がある。逆に、搬送間隔を詰めると、各ノレン片が絶えず遥動するため、出入口の閉鎖が不完全になってＸ線の外部への漏洩は避けられない。
【０００９】
本考案は、こうした諸問題を解決することのできる新たなＸ線遮蔽ノレンと、それを搭載したＸ線検査装置とを提供することを課題とする。
【課題を解決するための手段】
【００１０】
上記課題を解決するために、第１の考案に係るＸ線遮蔽ノレンは、被検査物の搬送方向と交差する方向の水平軸に遥動自在に吊り下げられた短冊状の複数枚のノレン片を備え、前記各ノレン片の前記搬送方向の上流側には、前記各ノレン片の揺れ戻しによる上流側への回動を阻止する回り止めが、前記水平軸レベルよりも下方に設けられていることを特徴とする。
【００１１】
これにより、各ノレン片は、回り止めによってそれ自身の揺れ戻しによる上流側への回動が阻止されるため、被検査物が前後して進入してきても、後続の被検査物は、ノレン片のカウンターパンチを受けないから、被検査物の搬送が乱されたり、容器がダメージを受けたりしない。
【００１２】
前記ノレン片は、ステンレス板を水平軸に遥動自在に吊り下げたものであるから、各ノレン片が下流側に押し退けられるときには、垂下状態にあるノレン片と、開放されるノレン片との間が大きく開き、その開口部からＸ線の漏洩が避けられない。
【００１３】
そこで、第２の考案では、前記水平軸にリンクを遥動自在に吊り下げ、そのリンクの下端部に前記ノレン片をさらに遥動自在に吊り下げて、リンクとノレン片とのヒンジ部分で水平方向に折れ曲がるように構成したことを特徴とする。
【００１４】
これにより、前記開口部分を小さくすることができるから、そこからのＸ線の漏洩を抑えることができる。この場合において、リンクとノレン片との上流側への回動は、前述の回り止めをノレン片の上流側に設けて、ノレン片の上流側への回動を阻止するようにしても良いし、それに代えて、リンクの上流側に回り止めを設けて、リンクの上流側への回動を阻止するとともに、リンクにもノレン片の上流側への回動を阻止する回り止めを設けて全体として、リンクとノレン片の上流側への回動を阻止するようにしても良い。
【００１５】
ところで、第２の考案では、リンクを介して短冊状のノレン片を吊り下げるから、リンク部分にもＸ線を遮蔽する必要がある。そこで、第３の考案に係るＸ線遮蔽ノレンでは、第１の考案に係るＸ線遮蔽ノレンを上流側上段に配置し、第２の考案に係るＸ線遮蔽ノレンをその下流側に近接させて配置する。その際、上流側の各ノレン片を、下流側の各ノレン片より上段に配置して、上流と下流に配置された上下段の各ノレン片でＸ線を遮蔽するように構成する。これにより、リンク部分からのＸ線の漏洩は防止される。さらに、下流側の各ノレン片は、水平軸に遥動自在に吊り下げられたリンクの下端部に、同じく遥動自在に吊り下げられているから、上流側の各ノレン片が垂下状態にあるときの各ノレン片の下端部を、下流側の各ノレン片の揺れ戻しによる上流側への回動を阻止する回り止めとして利用すると、回り止めを別途設ける必要がなくなる。
【００１６】
図１は、この第３の考案に係るＸ線遮蔽ノレンの構成を示した概略側面図である。この図において、Ｘ線遮蔽ノレン１０は、被検査物の搬送方向Ｙと交差する方向、すなわち、紙面と直交する方向に並行に配置された上流側と下流側の一対の水平軸１、２と、上流側の水平軸１に遥動自在に吊り下げられた複数枚の短冊状のノレン片３と、下流側の水平軸２に遥動自在に吊り下げられたリンク４と、そのリンク４の下端部に、同じく遥動自在に吊り下げられた複数枚の短冊状のノレン片５とを備えている。
【００１７】
上流側のノレン片３は、下流側のノレン片５より上段に位置して、これら上下段の各ノレン片３、５でＸ線を遮蔽するように構成されている。すなわち、リンク４の全面を塞ぐように、その上流側にノレン片３が配置されている。そして、上流側のノレン片３は、それより上流側に設けられた回り止め６によって、それ自身の垂下位置より上流側には回動しないようになっている。また、その垂下位置にあるノレン片３の下端部３１は、下流側のノレン片５が揺れ戻しによって上流側へ回動しようとする運動を、二点鎖線で示す位置で阻止するようになっている。
【００１８】
これにより、上段のノレン片３は、回り止め６によってそれ自身の揺れ戻しによる上流側への回動が阻止され、下段のノレン片５は、上流側への回動が阻止された上段のノレン片３によって上流側への回動が阻止される。
【００１９】
したがって、第１の考案に係るＸ線遮蔽ノレン１０Ａは、図１では、上流側の水平軸１と、そこに吊り下げられた複数のノレン片３と、各ノレン片３の上流側への回動を阻止する回り止め６とで構成される。また、第２の考案に係るＸ線遮蔽ノレン１０Ｂは、下流側の水平軸２と、そこに遥動自在に吊り下げられた複数のリンク４と、各リンク４の下端部に同じく遥動自在に吊り下げられた複数のノレン片５とを備え、そこに、各ノレン片５の揺れ戻しによる上流側への回動を阻止する回り止めを設けることによって構成されるが、その回り止めを、停止した上流側ノレン片３に肩代わりさせたものが、第３の考案に係るＸ線遮蔽ノレン１０となる。これにより、上流側ノレン片３が、リンク４からのＸ線の漏洩を防止するとともに、下流側ノレン片５に対する回り止めとしても機能する。
【００２０】
図示しないＸ線照射室の出入口には、こうしたＸ線遮蔽ノレン１０が搬送方向Ｙに沿って複数組配置されるが、その際、各組のノレン片３、５が同時に開放されるようなことがあっても、各組のノレン片３、５は、上流側には回動しないから、これまでの半周期で垂下姿勢に戻ってＸ線の外部への漏洩を効果的に防止する。
【考案の効果】
【００２１】
第１、第２の考案によれば、各ノレン片の上流側に配置した回り止めによって、各ノレン片が上流側には回動しないから、先行する被検査物がノレン片を跳ね上げても、後続の被検査物が侵入するころには、跳ね上げられたノレン片は、垂下姿勢に戻っているから、これまでように、揺れ戻しのノレン片からカウンターパンチを受けることはない。したがって、後続の被検査物がダメージを受けたり、その搬送が乱されたりすることはない。
【００２２】
また、第３の考案によれば、上流側の複数枚の上段ノレン片と、下流側の複数枚の下段ノレン片とでＸ線を遮蔽するから、各ノレン片を軽量化することができるから、重いものから軽いものまで幅広く使用できる汎用性の高いＸ線遮蔽ノレンとすることができる。
【００２３】
さらに、第２、第３の考案によれば、下流側の下段ノレン片がリンクを介して水平方向に折れ曲がるから、それらのノレン片が被検査物によって跳ね上げられても、跳ね上げられていないノレン片との間で形成される開口部分を小さくして、そこからのＸ線の漏洩を抑えることができる。
【００２４】
さらに、本考案に係るＸ線遮蔽ノレンを搬送方向に沿って複数組配置したＸ線検査装置によれば、各組のノレン片３、５が開放されても、各ノレン片３、５は、これまでの半周期で垂下姿勢に戻って開放部分を塞ぐから、複数組配置されたＸ線遮蔽ノレンによってＸ線の外部への漏洩を効果的に抑制することができる。
【図面の簡単な説明】
【００２５】
【図１】本考案に係るＸ線遮蔽ノレンの構成を説明するための概略側面図
【図２】本考案に係るＸ線遮蔽ノレンを搭載したＸ線検査装置の外観斜視図
【図３】Ｘ線検査装置の出入口に取り付けられる図１に対応するＸ線遮蔽ノレンの一実施形態の外観斜視図
【図４】リンクとノレン片とからなるユニットの外観斜視図
【図５】複数組のＸ線遮蔽ノレンを搬送方向に沿って配置したときの側面図
【図６】図５のリンク９とノレン片５Bとからなるユニットの外観斜視図
【考案を実施するための形態】
【００２６】
以下、本考案に係るＸ線遮蔽ノレンの一実施形態と、それを搭載したＸ線検査装置を、図を参照しながら説明する。
【００２７】
図２は、本考案に係るＸ線遮蔽ノレンを搭載したＸ線検査装置の外観斜視図を示す。この図において、Ｘ線検査装置１００は、製造ラインに組み込まれる周知構成のもので、Ｘ線を遮蔽する筐体１１と、その筐体１１を支持する４本の支持脚１２とを備えている。前記筐体１１内には、入口１３と出口とを有するＸ線照射室が形成され、その出入口間に搬送コンベヤ１４が架け渡されて、被検査物ＰをＸ線照射室内に搬入するように構成されている。このＸ線照射室内には、周知のＸ線源とラインセンサとが搬送コンベヤ１４を挟んで上下に対向配置され、その搬送コンベヤ１４上には、Ｘ線の外部への漏洩を防止する複数組のＸ線遮蔽ノレン１０が搬送方向Ｙに沿って配置されている。そして、筐体１１の前面上部には、Ｘ線検査装置１００を操作するためのタッチパネル１５が設けられ、その下方には、保守点検時にＸ線照射室内を開放するための開閉扉１６が設けられている。さらに、入口１３と出口には、ゲート状のケーシング１７内に収納されたＸ線遮蔽ノレン１０が取り付けられる。
【００２８】
このケーシング１７は、Ｘ線を遮蔽するステンレス板で形成され、その上部には、その一部を下流側に突出させた連結板１８が取り付けられ、そこに貫通孔１９が三つ形成されている。その貫通孔１９を筐体１１の入口側上部の段差部１１Ｄに設けられた三つのボス２０に嵌め込めば、ケーシング１７を搬送コンベヤ１４から浮かせた状態で筐体１１の出入口に連結固定できるようになっている。
【００２９】
図３は、そのケーシング１７内に収納されるＸ線遮蔽ノレン１０の外観斜視図を示す。この図において、Ｘ線遮蔽ノレン１０は、図１の遮蔽ノレン１０と基本的に同一構造である。したがって、Ｘ線遮蔽ノレン１０の説明は、図１の符号を用いて説明する。
【００３０】
図３において、一点鎖線で示すケーシング１７は、ステンレス板を門型に成形したもので、その出入口には、ステンレス製のＸ線遮蔽ノレン１０が左右のブラケットＢ、Ｂを介してその内側に取り付けられている。
【００３１】
Ｘ線遮蔽ノレン１０は、左右のブラケットＢ、Ｂ間に架橋された一対の水平軸１、２と上流側水平軸１に遥動自在に吊り下げられた複数枚の短冊状のノレン片３と、下流側水平軸２に遥動自在に吊り下げられたリンク４と、そのリンク４の下端部に、同じく遥動自在に吊り下げられた複数枚の短冊状のノレン片５と、前記ノレン片３の下流側への回動を阻止する回り止め６とを備えている。
【００３２】
前記回り止め６は、図１に示すように、左右のブラケットＢを架橋するフレーム７の下端部を下流側へ傾斜させることによって形成されている。水平軸１、２の両端部には、ネジが切られ、そのネジをブラケットＢに設けた貫通孔に通してボルト８で締め付けることにより、水平軸１，２をブラケットＢに固定している。
【００３３】
各ノレン片３は、短冊状のステンレス板で形成され、逆Ｕ字状に折り曲げられたその上端部３２を水平軸１に回転自在に取り付けることによって、水平軸１から遥動自在に吊り下げられている。
【００３４】
図４は、図３のリンク４と、そこに吊り下げられた一対のノレン片５、５のユニットを示したもので、このユニットが水平軸２に沿って並べられている。この図において、各ノレン片５、５は、短冊状のステンレス板で形成され、その上端部５１が逆Ｕ字状に折り曲げられてリンク４の下側ヒンジピン４１に遥動自在に吊り下げられている。リンク４は、一対のリンク４、４の両端を上下のヒンジピン４１、４２で連結したもので、下側ヒンジピン４１は、その両サイドでかしめられ、上側ヒンジピン４２は、パイプ状に形成されてそこに水平軸２が挿通されて、リンク４、４がその水平軸２回りに遥動するようになっている。
なお、図３において、幅方向両サイドの各２枚のノレン片５ａ、５ａは、他のノレン片５より僅かに短く形成されている。これは、搬送コンベヤ１４のめくれたエッジ部分との接触を避けるための措置である。
【００３５】
Ｘ線照射室内に図３に示すＸ線遮蔽ノレン１０を複数組配置しても良いが、図５は、これに代えて、第２の考案に係るＸ線遮蔽ノレン１０ＢをＸ線照射室内に２組配置した実施例を示している。ただし、図５は、入口側の３組だけを示したもので、出口側には、２組のＸ線遮蔽ノレン１０Ｂの下流側にＸ線遮蔽ノレン１０が配置される構成となる。したがって、Ｘ線遮蔽ノレン１０Ｂは、Ｘ線照射室内の上流と下流にそれぞれ２組配置され、Ｘ線遮蔽ノレン１０は、筐体１１の出入口にそれぞれ配置される。
【００３６】
図５において、Ｘ線遮蔽ノレン１０Ｂは、Ｘ線照射室内に着脱自在に取り付けられるフレームＦにそれぞれ一定ピッチ離して固定されている。このＸ線遮蔽ノレン１０Ｂは、第２の考案に係るＸ線遮蔽ノレンの一実施形態を示したもので、幅方向両サイドのブラケットＢｂに固定された水平軸２Ｂと、そこに遥動自在に吊り下げられたリンク９と、そのリンク９の下側ヒンジピン９１に遥動自在に吊り下げられたノレン片５Ｂと、リンク９の揺れ戻しによる上流側への回動を阻止する回り止め６Ｂとを備えている。
【００３７】
両端のブラケットＢｂは、プレートｂを介してフレームＦの上流側の側面と下流側の側面にそれぞれ取り付けられている。これらのブラケットＢｂは、特に左右勝手反対に取り付け可能となっている。すなわち、水平軸２Ｂを取り付ける孔と、回り止め６Ｂをネジ止めする孔とが左右対象に形成されて、どちらの孔にも水平軸２Ｂが取り付けられるようになっている。
【００３８】
図６は、図５のリンク９と、そこから吊り下げられた一対のノレン片５Ｂ、５Ｂのユニットを示したもので、このユニットが水平軸２Ｂに沿って並べられている。この図において、各ノレン片５Ｂ、５Ｂも短冊状のステンレス板で形成され、その上端部が同様に逆Ｕ字状に折り曲げられてリンク９の下側ヒンジピン９１に遥動自在に吊り下げられている。
【００３９】
リンク９は、一対のリンク９、９の両端を上下のヒンジピン９１、９２で連結したもので、下側ヒンジピン９１は、その両端部でかしめられ、上側ヒンジピン９２は、パイプ状に形成されて、そこに水平軸２Ｂが挿通されて、リンク９、９がその水平軸２Ｂ回りに遥動するようになっている。また、リンク９の下流側側面には、ノレン片５Ｂ、５Ｂと並行にブラケット９３、９３が形成され、このブラケット９３、９３がノレン片５Ｂ、５Ｂの下流側への回動を阻止する回り止めとなっている。
【００４０】
このリンク９の下流側への回動を阻止する回り止め６Ｂは、上から見た平面視が逆コの字型に形成され、その両端部がブラケットＢｂにネジ止めされて、幅方向の両ブラケットＢｂ間に架橋された押さえ板６１が垂下状態の前記ブラケット９３、９３に当接して、リンク９の下流側への回動を阻止するようになっている。
【００４１】
図５において、被検査物Ｐが搬入されないときは、各Ｘ線遮蔽ノレン１０，１０Ｂのノレン片３，５、５Ｂは、図５の実線で示すように、垂下状態を維持する。そして、ノレン片３に接する高さの被検査物Ｐが左側から進入してくると、まず、最上流のノレン片３に当たってそれを下流側へ跳ね上げる。それと同時に、下流側のリンク４とノレン片５も跳ね上げられる。そして、被検査物ＰがＸ線遮蔽ノレン１０を通過するときには、リンク４とノレン片５とがヒンジピン４１で水平方向に折れ曲がるから、跳ね上げられたノレン片５と垂下しているノレン片５との間の開口部分は、必要最小限に抑えられる。そして、被検査物Ｐがそこを通過すると、まず、最上流のノレン片３が上流側に揺れ戻り、続いて、下流のノレン片５とリンク４が上流側に揺れ戻る。しかし、回り止め６があるため、ノレン片３は、それ以上の回動は阻止されて直ちに垂下姿勢に戻って停止する。続いて、下流側のリンク４とノレン片５とが、停止したノレン片３に追突するが、これらもノレン片３によってそれ以上の回動は阻止されるから、直ちに元の垂下姿勢に戻って停止する。
【００４２】
次に、被検査物Ｐが下流のＸ線遮蔽ノレン１０Ｂに進入すると、ノレン片５Ｂが下流側へ跳ね上げられる。その際、リンク９とノレン片５Ｂとは、ヒンジピン９１で水平方向に折れ曲がる。そして、被検査物Ｐがそこを通過すると、リンク９とノレン片５Ｂとは、上流側に揺れ戻るが、リンク９は、回り止め６Ｂによってそれ以上の回動は阻止され、ノレン片５Ｂは、リンク９のブラケット９３によってそれ以上の回動が阻止されるから、それらは、垂下姿勢に戻って停止する。
【００４３】
こうして、上流側から下流側へと、ノレン片３、５、５Ｂの遥動が遷移するが、被検査物Ｐが上流から２番目のＸ線遮蔽ノレン１０Ｂを通過している間は、下流側のＸ線遮蔽ノレン１０Ｂは勿論のこと、上流側のＸ線遮蔽ノレン１０も垂下姿勢に戻っているから、被検査物Ｐが通過中であっても、Ｘ線の外部への漏洩は防止される。
【００４４】
以上、本考案の一実施形態について説明したが、本考案は、これらの実施形態に限定されるものではない。例えば、図５に示すＸ線遮蔽ノレン１０Ｂを、Ｘ線照射室の外側に設けられるＸ線遮蔽ノレン１０の代わりに配置しても良い。
【符号の説明】
【００４５】
１      水平軸
２      水平軸
２Ｂ    水平軸
３      上流側のノレン片
４      リンク
５      下流側のノレン片
５Ｂ    下流側のノレン片
６      回り止め
６Ｂ    回り止め
９      リンク
１０      第３の考案に係るＸ線遮蔽ノレン
１０Ａ    第１の考案に係るＸ線遮蔽ノレン
１０Ｂ    第２の考案に係るＸ線遮蔽ノレン
１００      Ｘ線検査装置
【図１】
0003193858.tif 000003
【図２】
0003193858.tif 000004
【図３】
0003193858.tif 000005
【図４】
0003193858.tif 000006
【図５】
0003193858.tif 000007
【図６】
0003193858.tif 000008